(57)【特許請求の範囲】
【請求項１】
原稿の画像を読取って複数の供給手段から供給される用紙に画像形成手段で画像を形成する画像形成装置において、
上記画像形成手段で画像が形成される用紙の画像形成枚数を、用紙サイズ、供給手段、用紙片面のみの画像形成、用紙両面への画像形成等の画像形成項目別に計数する計数手段と、
この計数手段で計数された画像形成項目別の画像形成枚数を画像形成項目別に累計して記憶する記憶手段と、
上記画像形成装置における累計画像形成枚数を表示させる画像形成枚数管理モードを設定する設定手段と、
この設定手段で累計画像形成枚数を表示させる画像形成枚数管理モードが設定された際、画像形成モードを入力する入力手段と、
この入力手段で入力された画像形成モードに対応する上記記憶手段に記憶されている画像形成項目別の累計画像形成枚数を読み出して一時記憶する第１の一時記憶手段と、
この第１の一時記憶手段に記憶された累計画像形成枚数を用いて上記画像形成モードに対応する累計画像形成枚数を算出する算出手段と、
この算出手段で算出された上記画像形成モードに対応する累計画像形成枚数を一時記憶する第２の一時記憶手段と、
この第２の一時記憶手段に記憶された累計画像形成枚数を表示する表示手段と、
を具備したことを特徴とする画像形成装置。
【請求項２】
原稿の画像を読取って複数の供給カセットから供給される用紙に画像形成手段で画像を形成する画像形成装置において、
上記画像形成手段で画像が形成される用紙の画像形成枚数を、用紙サイズ、供給カセット、用紙片面のみの画像形成、及び用紙両面への画像形成等の画像形成項目別に計数する計数手段と、
この計数手段で計数された画像形成項目別の画像形成枚数を画像形成項目別に累計して記憶する不揮発性ＲＡＭと、
上記画像形成装置における累計画像形成枚数を表示させる画像形成枚数管理モードを設定する設定キーと、
この設定キーで累計画像形成枚数を表示させる画像形成枚数管理モードが設定された際、画像形成モードを入力する入力キーと、
この入力キーで入力された画像形成モードに対応する上記不揮発性ＲＡＭに記憶されている画像形成項目別の累計画像形成枚数を読み出して一時記憶する第１のレジスタと、
この第１のレジスタに記憶された累計画像形成枚数を用いて上記画像形成モードに対応する累計画像形成枚数を加算、減算して算出する算出手段と、
この算出手段で算出された上記画像形成モードに対応する累計画像形成枚数を一時記憶する第２のレジスタと、
この第２のレジスタに一時記憶された累計画像形成枚数を表示する表示手段と、
を具備したことを特徴とする画像形成装置。
【発明の詳細な説明】
【０００１】
【産業上の利用分野】
この発明は、例えば、設定可能なコピーモードでのコピー枚数管理を容易に行えるようにして、画像を読取り印刷を行う電子複写機などの画像形成装置に関する。
【０００２】
【従来の技術】
電子複写機などの画像形成装置では、原稿が露光ランプで照射され、この露光走査された反射光が導かれて原稿に対応する潜像が感光体ドラム上に形成され、この潜像に現像器でトナーを付与することにより顕像化し、この顕像化されたトナー像を転写装置を用いて用紙上に転写し、この後、定着装置を用いて用紙上のトナー像を定着するようになっている。
【０００３】
限りある資源を大切にするために、最近コピー枚数の管理を電子複写機の使用において重要視される傾向にある。さらに、コピーサイズ毎に両面コピーの使用枚数と、その管理したいコピー枚数の種類は多様化してきている。このような要求に対応する従来の技術には、調整モードにより、コードに対応したコピー枚数の管理方法、あるいはトータライザ等の高価なオプション機器を使用しての管理方法等がある。
【０００４】
しかしながら、知りたい使用コピー枚数を調整モードのコードで見るには、そのコード番号を知らなくてはならない。また、給紙段、用紙サイズ、コピーモード等がリンクしたコピー枚数管理が出来ていないので、トータライザのようなオプション機器を使用しないと枚数管理がうまく行えないでいた。さらに、コピー枚数を管理する多くの記憶手段としてのＲＡＭが必要となるので、省資源のために両面コピーが多様化されて両面コピー時の枚数管理の必要があってもＲＡＭの制約等から実現が困難であった。
【０００５】
【発明が解決しようとする課題】
上記したように、知りたい使用コピー枚数を調整モードのコードで見るには、そのコード番号を知らなくてはならず、また、給紙段、用紙サイズ、コピーモード等がリンクしたコピー枚数管理が出来ていないので、トータライザのようなオプション機器を使用しないとコピー枚数管理がうまく行えず、さらに、コピー枚数を管理する多くの記憶手段としてのＲＡＭが必要となるので、省資源のために両面コピーが多様化されて両面コピー時の枚数管理の必要があってもＲＡＭの制約等から実現が困難であるという問題があった。
【０００６】
そこで、この発明は、トータライザ等のオプション機器を使用することなく、所望するコピーモードでの枚数情報を容易に管理することのできる画像形成装置を提供することを目的とする。
【０００７】
【課題を解決するための手段】
この発明の画像形成装置は、原稿の画像を読取って複数の供給手段から供給される用紙に画像形成手段で画像を形成する画像形成装置において、上記画像形成手段で画像が形成される用紙の画像形成枚数を、用紙サイズ、供給手段、用紙片面のみの画像形成、用紙両面への画像形成等の画像形成項目別に計数する計数手段と、この計数手段で計数された画像形成項目別の画像形成枚数を画像形成項目別に累計して記憶する記憶手段と、上記画像形成装置における累計画像形成枚数を表示させる画像形成枚数管理モードを設定する設定手段と、この設定手段で累計画像形成枚数を表示させる画像形成枚数管理モードが設定された際、画像形成モードを入力する入力手段と、この入力手段で入力された画像形成モードに対応する上記記憶手段に記憶されている画像形成項目別の累計画像形成枚数を読み出して一時記憶する第１の一時記憶手段と、この第１の一時記憶手段に記憶された累計画像形成枚数を用いて上記画像形成モードに対応する累計画像形成枚数を算出する算出手段と、この算出手段で算出された上記画像形成モードに対応する累計画像形成枚数を一時記憶する第２の一時記憶手段と、この第２の一時記憶手段に記憶された累計画像形成枚数を表示する表示手段とから構成されている。
【００１１】
この発明の画像形成装置は、原稿の画像を読取って複数の供給カセットから供給される用紙に画像形成手段で画像を形成する画像形成装置において、上記画像形成手段で画像が形成される用紙の画像形成枚数を、用紙サイズ、供給カセット、用紙片面のみの画像形成、及び用紙両面への画像形成等の画像形成項目別に計数する計数手段と、この計数手段で計数された画像形成項目別の画像形成枚数を画像形成項目別に累計して記憶する不揮発性ＲＡＭと、上記画像形成装置における累計画像形成枚数を表示させる画像形成枚数管理モードを設定する設定キーと、この設定キーで累計画像形成枚数を表示させる画像形成枚数管理モードが設定された際、画像形成モードを入力する入力キーと、この入力キーで入力された画像形成モードに対応する上記不揮発性ＲＡＭに記憶されている画像形成項目別の累計画像形成枚数を読み出して一時記憶する第１のレジスタと、この第１のレジスタに記憶された累計画像形成枚数を用いて上記画像形成モードに対応する累計画像形成枚数を加算、減算して算出する算出手段と、この算出手段で算出された上記画像形成モードに対応する累計画像形成枚数を一時記憶する第２のレジスタと、この第２のレジスタに一時記憶された累計画像形成枚数を表示する表示手段とから構成されている。
【００１２】
【作用】
この発明は、原稿の画像を読取って複数の供給手段から供給される用紙に画像形成手段で画像を形成する画像形成装置において、上記画像形成手段で画像が形成される用紙の画像形成枚数を、用紙サイズ、供給手段、用紙片面のみの画像形成、用紙両面への画像形成等の画像形成項目別に計数し、この計数された画像形成項目別の画像形成枚数を画像形成項目別に累計して記憶し、上記画像形成装置における累計画像形成枚数を表示させる画像形成枚数管理モードを設定し、この画像形成枚数管理モードが設定された際、画像形成モードを入力し、この入力された画像形成モードに対応する上記記憶されている画像形成項目別の累計画像形成枚数を読み出して一時記憶し、この記憶された累計画像形成枚数を用いて上記画像形成モードに対応する累計画像形成枚数を算出し、この算出された上記画像形成モードに対応する累計画像形成枚数を一時記憶し、この記憶された累計画像形成枚数を表示するようにしたものである。
【００１７】
【実施例】
以下、この発明の一実施例について図面を参照して説明する。
図２はこの発明に係る画像形成装置としての複写機１０の内部構成を示すもので、その本体１１内の略中央部には感光体ドラム１２が回転自在に設けられている。この感光体ドラム１２の周囲部にはその回転方向に沿って順次、帯電チャージャ１３、露光部１４、現像器１５、転写チャージャ１７、剥離チャージャ１８、クリーナ１９および除電器２０が配設されている。
【００１８】
また、上記本体１１内の上部には露光系２１が設けられている。この露光系２１は露光ランプ２２、第１から第３の反射ミラー２３、２４、２５、変倍用レンズブロック２６、第４から第６の反射ミラー２７、２８、２９によって構成されている。
【００１９】
また、上記本体１１の一側部には、給紙カセット３０と１０００枚以上の大容量カセット３１とが設けられている。
上記給紙カセット３０あるいは上記大容量カセット３１から給紙された用紙Ｐは上記本体１１内に設けられた用紙搬送路３２に沿って搬送されるようになっている。
【００２０】
前記用紙搬送路３２には用紙Ｐの搬送方向に沿って順次、レジストローラ３３、上記転写、剥離チャージャ１７、１８、搬送ベルト３４、定着器３５、排紙ローラ対３６が配設されている。
【００２１】
さらに、上記本体１１の上面部には原稿載置台３８が設けられ、この原稿載置台３８上には、自動原稿送り装置３９が設けられている。
一方、上記本体１１の排紙部にはソータ装置４５が設けられている。このソータ装置４５は上下方向に所定間隔を存して配設された複数のビン４６、…と、これらビン４６、…に上記排紙ローラ対３６からの用紙Ｐを振分けるゲート手段４７、…と、これらのゲート手段４７、…によって振分けられた用紙Ｐを対応するビン４６内に搬送する搬送ローラ４８、…によって構成されている。
【００２２】
また、上記排紙ローラ対３６の近傍には用紙Ｐを本体１１外へ排出するか反転給紙部４９に導くかを切換えるゲート手段５０が設けられている。この反転給紙部４９に導かれた用紙Ｐは、表裏が反転された後、再び用紙搬送路３２に沿って搬送されるようになっている。
【００２３】
しかして、通常のコピー時には、原稿載置台３８に載置された原稿Ｏに露光系２１により、光が走査され、その反射光が帯電チャージャ１３により表面が帯電された感光体ドラム１２上に結像されて静電潜像が形成される。この静電潜像は現像器１５により現像剤が供給されることにより顕像化される。このとき、給紙カセット３０、あるいは大容量カセット３１から用紙Ｐが供給されることにより、感光体ドラム１２と転写チャージャ１７との間の画像転写部１２ａに用紙Ｐが送られて感光体ドラム１２上の顕像が用紙Ｐに転写される。この画像が転写された用紙Ｐは剥離チャージャ１８の作用により、感光体ドラム１２から剥離され、搬送ベルト３４により、定着器３５へと送られ画像が定着される。この画像が定着された用紙Ｐは排紙ローラ対３６を介して排出され、ソータ装置４５のゲート手段４７を介して最上段のビン４６上に排出されることになる。
【００２４】
また、原稿Ｏを複数部コピーしてソートする場合にはゲート手段４７、…によって振分けられて各ビン４６、…に選択的にソートされることになる。
また、両面コピーする場合には、ゲート手段５０が反転給紙部４９に切換わることにより、用紙Ｐが反転給紙部４９に導かれ、表裏が反転された後、再び用紙搬送路３２に沿って搬送され、裏面側に画像が転写され、定着されて排出される。
【００２５】
上記自動原稿送り装置３９は、原稿供紙台６１、１通取出し部６２、反転部６３、搬送部６４、排紙部６５、および排紙トレイ６６によって構成されている。
上記原稿供紙台６１には、供紙される複数の原稿Ｏ、…が載置される。上記１通取出し部６２は、上記原稿供紙台６１上の原稿Ｏを１枚ずつ取出し搬送するものである。上記反転部６３は、上記１通取出し部６２からの原稿Ｏをそのまま搬送部６４へ導いたり、あるいは搬送部６４からの原稿Ｏを反転して搬送部６４へ返送するものである。上記搬送部６４は、上記反転部６３からの原稿Ｏを搬送して原稿載置台３８上の基準位置にセットしたり、原稿載置台３８上の原稿Ｏを上記反転部６３に搬送したり、排紙部６５に搬送するようになっている。上記排紙部６５は、搬送部６４からの原稿Ｏを排紙トレイ６６に排紙するものである。
【００２６】
また、本体１１の前面上部には、様々な複写条件並びに複写動作を開始させる複写開始信号などを入力するコントロールパネル７０が設けられている。
図３は、コントロールパネル７０を示すもので、スタートキー７、テンキー８、状態表示部７３、表示部７４、原稿サイズ設定キー部７５、用紙サイズ設定キー部７６、エリア設定キー７９、倍率設定キー８０、濃度設定キー８１、原稿枚数設定キー８２、コピー枚数設定キー８３、クリアキー８４、両面モードキー８５、綴じ代設定キー８６、表紙モード設定キー８７、枠消し設定キー８８、頁連写設定キー８９、ソートモード設定キー９０、および原稿送りモード設定キー９１によって構成されている。
【００２７】
スタートキー７は、コピー開始を指示するものである。
テンキー８は、原稿枚数やコピー枚数を設定する０〜９までのキーで構成される。
【００２８】
状態表示部７３は、給紙カセットの選択状態や、原稿や、用紙のジャム、および紙補給などを案内表示するものである。
表示手段としての表示部７４は、原稿枚数表示部７４ａ、コピー枚数表示部７４ｂ、および案内表示部７４ｃにより構成され、原稿枚数やコピー枚数を表示するとともに、複写倍率の表示や種々の操作案内を行うものである。
【００２９】
原稿サイズ設定キー部７５は、原稿Ｏのサイズを設定するものである。
用紙サイズ設定キー部７６は、用紙Ｐのサイズを設定するもので、キー７６ａはＡ３サイズを設定するもので押下された際に発光ダイオード（以下、ＬＥＤと記述する）７７ａが点灯され、キー７６ｂはＡ４サイズを設定するもので押下された際にＬＥＤ７７ｂが点灯され、キー７６ｃはＡ５サイズを設定するもので押下された際にＬＥＤ７７ｃが点灯され、キー７６ｄはＢ４サイズを設定するもので押下された際にＬＥＤ７７ｄが点灯され、キー７６ｅはＢ５サイズを設定するもので押下された際にＬＥＤ７７ｅが点灯される。
【００３０】
倍率設定キー８０は、コピー倍率を設定するものである。
濃度設定キー８１は、コピー濃度を設定するものである。
原稿枚数設定キー８２は、コピー開始時に原稿供紙台６１に載置した原稿Ｏの枚数を設定する際に入力するものであり、このキーにより原稿枚数設定モードにすることにより、テンキー５による入力が原稿枚数として表示部７４の原稿枚数表示部７４ｂに表示される。
【００３１】
コピー枚数設定キー８３は、コピー開始時にコピー枚数を設定する際に入力するものであり、このキーによりコピー枚数設定モードにすることにより、テンキー５による入力がコピー枚数として表示部７４のコピー枚数表示部７４ｂに表示される。
【００３２】
クリアキー８４は、各キーによる設定内容をクリアし、標準状態に戻すものである。
両面モードキー８５は、原稿Ｏの片面ずつを用紙Ｐの両面を用いてコピー、原稿Ｏの両面をそれぞれ用紙Ｐの両面にコピー、原稿Ｏの両面のそれぞれを用紙Ｐの片面ずつを用いてコピー、あるいはブックコピーを設定するものである。
【００３３】
図１は、複写機１０の制御回路を示すものでる。すなわち、全体を制御する制御部１が設けられている。この制御部１には、上記コントロールパネル７０、枚数管理用データ等の各種情報を記憶する記憶手段としての不揮発性ＲＡＭ２、及び画像形成手段としての複写機構部３が接続されている。また、制御部１には、不揮発性ＲＡＭ２に記憶されている数値に対して演算を行う場合にその数値を一時的に蓄えるレジスタ４，５，６が設けられている。
【００３４】
複写機構部３は、図２で説明した複写機１０の内部構成の各部に対応している。
図４は、枚数管理用データが記憶される不揮発性ＲＡＭ２内のマップの一部を示すものである。すなわち、ａ部にはＡ４サイズの用紙がセットされた大容量カセット３１から供給してコピーされた枚数の累計カウント値、ｂ部にはＡ４サイズの用紙がセットされた際の給紙カセット３０から供給してコピーされた枚数の累計カウント値、ｃ部にはＡ３サイズの用紙がセットされた際の給紙カセット３０から供給してコピーされた枚数の累計カウント値、ｄ部には両面コピーを実行した際のコピー枚数の累計カウント値、ｅ部にはＡ４サイズの用紙がコピーされた枚数の累計カウント値、ｆ部にはＡ３サイズの用紙がコピーされた枚数の累計カウント値、ｇ部にはＡ５サイズの用紙がコピーされた枚数の累計カウント値、ｈ部にはＢ４サイズの用紙がコピーされた枚数の累計カウント値がそれぞれ記憶されている。
【００３５】
例えば、大容量カセット３１からＡ４サイズで片面→両面コピーを行うと、まず、反転給紙部４９に片面コピーされた用紙がストックされる際に、制御部１は、不揮発性ＲＡＭ２内のマップにおけるａ部のＡ４サイズの用紙がセットされた大容量カセット３１からのコピー枚数のカウンタ値、及びｅ部のＡ４サイズのコピー枚数のカウンタ値とをカウントアップする。次に、反転給紙部４９にストックされた片面コピー済の用紙の未コピー面をコピーする際に、制御部１は、不揮発性ＲＡＭ２内のマップにおけるｄ部の両面コピーのコピー枚数のカウンタ値、及びｅ部のＡ４サイズのコピー枚数のカウンタ値とをカウントアップする。
【００３６】
このように、制御部１は、コピーのモードに対応した不揮発性ＲＡＭ２内のａ部〜ｈ部にコピー毎に枚数分カウントアップする。
次に、このような構成においてコピー枚数管理モードの動作を図５、図６、図７のフローチャートを参照して説明する。
【００３７】
図５において、複写機１０のコントロールパネル７０上のテンキー８の「１」と「２」のキーが同時に押下されて電源が投入された際、制御部１は、コピー枚数管理モードとする。
【００３８】
図６において、コピー枚数管理モードとして制御部１は、その初期状態としてコントロールパネル７０上の各種表示用のＬＥＤはどれも点灯せず、表示部７４に「コピー枚数管理モード」と表示する。
【００３９】
この状態で、例えば、用紙サイズ設定キー部７６のＡ４サイズの用紙を設定するキー７６ｂが押下されると、ＬＥＤ７７ｂが点灯される。ここで、スタートキー７が押下されることによって制御部１は、設定押下されたキー７６ｂに対応するモードを判断する。この場合、制御部１は「Ａ４サイズを使用したトータルコピー枚数」と判断する。また、例えば、両面モードキー８５が押下されると、ＬＥＤ８５ａが点灯され、スタートキー７が押下されることによって制御部１は、設定押下された両面モードキー８５に対応するモードを判断する。この場合、制御部１は「両面コピーのコピー枚数」と判断する
制御部１は、判断したモードに対応するカウンタ値を、不揮発性ＲＡＭ２に記憶されているａ部〜ｈ部から読出してレジスタ４，５，６を用いて演算し、この演算結果のカウンタ値をレジスタ４にロードし、この内容をモードに対応するコピー枚数としてコピー枚数表示部７４ｂに表示する。ただし、不揮発性ＲＡＭ２に記憶されているａ部〜ｈ部のいずれかのカウンタ値が対応するモードの場合は、演算の必要がなく、制御部１は、直接不揮発性ＲＡＭ２から対応するカウンタ値を読出してレジスタ４にロードしてコピー枚数表示部７４ｂに表示する。
【００４０】
クリアキー８４が押下されて制御部１は、点灯しているＬＥＤ及びコピー枚数表示部７４ｂに表示されているコピー枚数を消し、コピー枚数管理モードの初期状態とする。
【００４１】
例えば、コピー枚数管理モードにおいて大容量カセット３１からのコピー枚数が要求された場合、制御部１は、不揮発性ＲＡＭ２内のａ部に記憶されている大容量カセット３１からのコピー枚数のカウンタ値を読出してレジスタ４にロードし、その値を大容量カセット３１からのコピー枚数としてコピー枚数表示部７４ｂに表示する。
【００４２】
また、Ａ４サイズのトータルコピー枚数が要求された場合、制御部１は、不揮発性ＲＡＭ２内のａ部に記憶されているＡ４サイズの用紙がセットされた大容量カセット３１からのコピー枚数のカウンタ値を読出してレジスタ４にロードし、不揮発性ＲＡＭ２内のｂ部に記憶されているＡ４サイズの用紙がセットされた際の給紙カセット３０からのコピー枚数のカウンタ値を読出してレジスタ５にロードし、上記レジスタ４にロードしたカウンタ値と上記レジスタ５にロードしたカウンタ値とを加算した値をレジスタ４にロードし、その値をＡ４サイズのトータルコピー枚数としてコピー枚数表示部７４ｂに表示する。
【００４３】
図７において、両面コピーにおけるＡ４サイズのコピー枚数の算出について説明する。この場合、両面モードキー８５が押下されてＬＥＤ８５ａが点灯され、さらに用紙サイズ設定キー部７６のＡ４サイズの用紙を設定するキー７６ｂが押下されてＬＥＤ７７ｂが点灯され、スタートキー７が押下されることによって両面コピーにおけるＡ４サイズのコピー枚数が設定される。
【００４４】
制御部１は、不揮発性ＲＡＭ２内のｅ部に記憶されているＡ４サイズのコピー枚数のカウンタ値を読出してレジスタ５にロードし、不揮発性ＲＡＭ２内のａ部に記憶されているＡ４サイズの用紙がセットされた大容量カセット３１からのコピー枚数のカウンタ値を読出してレジスタ４にロードする。
【００４５】
他にＡ４サイズの使用がない場合、制御部１は、レジスタ５にロードしたカウンタ値からレジスタ４にロードしたカウンタ値を減算した値をレジスタ４にロードし、その値を両面コピーにおけるＡ４サイズコピー枚数としてコピー枚数表示部７４ｂに表示する。
【００４６】
また、Ａ４サイズの用紙がセットされた際の給紙カセット３０からのコピー枚数が不揮発性ＲＡＭ２内のｂ部に記憶されている場合、制御部１は、不揮発性ＲＡＭ２内のｂ部のカウンタ値をレジスタ６にロードし、このレジスタ６にロードしたカウンタ値と上記レジスタ４にロードしたカウンタ値とを加算した値をレジスタ４にロードし、このレジスタ４にロードした値を上記レジスタ５にロードしたカウンタ値から減算してレジスタ４にロードし、その値を両面コピーにおけるＡ４サイズコピー枚数としてコピー枚数表示部７４ｂに表示する。
【００４７】
クリアキー８４が押下されて制御部１は、点灯しているＬＥＤ７７ｂ，８５ａ、及びコピー枚数表示部７４ｂに表示されているコピー枚数を消し、コピー枚数管理モードの初期状態とする。
【００４８】
このように、加算あるいは減算を実施することにより、少ない情報から多くのモードに対応したコピー枚数の情報を得ることができる。
以上説明したように上記実施例によれば、多くの調整コードを覚えなくとも、実際に複写機を使用する時と同様のコピーモードを設定することにより、そのモードでの使用コピー枚数情報を得ることができる。
【００４９】
また、特定のコピー枚数情報のみを不揮発性ＲＡＭに記憶し、それらの情報を加減算して記憶していないコピーモードでのコピー枚数情報を算出することにより、必要最低限の記憶容量の不揮発性ＲＡＭ使用で、多くのコピー枚数情報を得ることができる。
また、トータライザ等のオプション機器を使用することなく複写機本体のみで多くのコピー枚数情報の管理を行うことができる。
【００５０】
【発明の効果】
以上詳述したようにこの発明によれば、トータライザ等のオプション機器を使用することなく、所望するコピーモードでの枚数情報を容易に管理することのできる画像形成装置を提供することができる。
【図面の簡単な説明】
【図１】この発明の画像形成装置に係る複写機における制御回路の概略構成を示すブロック図。
【図２】この発明に係る画像形成装置としての複写機の内部構成を示す断面図。
【図３】コントロールパネルの構成を説明するための図。
【図４】枚数管理用データが記憶される不揮発性ＲＡＭ内のマップの一部を説明するための図。
【図５】コピー枚数管理モードの動作を説明するためのフローチャート。
【図６】コピー枚数管理モードの動作を説明するためのフローチャート。
【図７】コピー枚数管理モードの動作を説明するためのフローチャート。
【符号の説明】
１…制御部
２…不揮発性ＲＡＭ
３…複写機構部
４，５，６…レジスタ
７…スタートキー
８…テンキー
１０…画像形成装置
３０…給紙カセット
３１…大容量カセット
７４…表示部
７４ｂ…
７６…用紙サイズ設定キー部
８５…両面モードキー
【図１】
0003661951.tif 000002
【図２】
0003661951.tif 000003
【図３】
0003661951.tif 000004
【図４】
0003661951.tif 000005
【図５】
0003661951.tif 000006
【図６】
0003661951.tif 000007
【図７】
0003661951.tif 000008